【手続補正書】
【提出日】平成20年2月15日(2008.2.15)
【手続補正１】
【補正対象書類名】明細書
【補正対象項目名】特許請求の範囲
【補正方法】変更
【補正の内容】
【特許請求の範囲】
【請求項１】 パイプ（101、102、202、301、302）の端部に形成されるねじ管接ぎ手（100、300）のための雄型又は雌型ねじを付された管状の要素（1、2）であって、ねじ要素の形式が雄型であるか雌型かによって、外部的な雄型ねじ切り（3、303、303’）又は内部的な雌型ねじ切り（4、304、304’）を備え、該要素のねじ（11、12）は、ねじ要素の軸線を通って通過する長手方向の断面図で見て、ねじ頂部（17、20、S1、S2）、ねじ基部（18、19、F1、F2）、直線からなるロード・フランク（13、14）、直線からなるスタビング・フランク（15、16）と2つの接線のねじ基部交差点領域（21、22、51、52）を備え、これらの2つの領域の各々は、ねじ基部と対応するフランクと呼ばれる2つのフランクのうちの1つのと間に配置され、円の円弧を備え、
「マルチプル半径領域」と呼ばれる2つの接線のねじ基部交差点領域のうちの少なくとも1つは、プリンシパル円弧（23、24、53、54）と呼ばれる円の円弧であって、サポート円は、フランク基準点（PRF1、PRF2、PRF3、PRF4）と呼ばれる点で対応するフランクのサポート直線を切断する円弧と、プリンシパル円弧のどちらの側部でもセカンダリー曲線（25、26、27、55、56）と呼ばれる角のない曲線であって、セカンダリー曲線は、接線として一方では対応するフランクに、そして、他方ではねじ基部にプリンシパル円弧を接続するセカンダリー曲線とを備えることを特徴とし、そして：
a)フランク基準点で、プリンシパル円弧のサポート円の接線（61、62、67、68）は、対応するフランクのサポート直線と、プリンシパル円弧がねじフランク材に食い込まないような、正しく正である鋭角（D. F）を作る；
b)プリンシパル円弧の前記サポート円は、ねじ基部のサポート直線を切る、又は、該サポート直線に対する接線であり、前記サポート円（63）に対する接線は、考慮中の交点（PRR1）または接点においてねじ基部のサポート直線と、-15°から+15°の範囲で角度（E）を作る ；ことを特徴とする、
ねじを付された管状の要素。
【請求項２】 考慮中のマルチプル半径領域のフランク基準点において、プリンシパル円弧のサポート円に対する接線と対応するフランクの間の角度（D、F）は、Jが、対応するフランクとねじ要素の軸線に対する垂線の間の代数的角度（A、B）であるならば、10°と差（70°−J)の間に設定されることを特徴とする請求項1のねじを付された管状の要素。
【請求項３】 考慮中のマルチプル半径領域のフランク基準点において、プリンシパル円弧のサポート円への接線と対応しているフランクの間との角度（D、F）は、Jが対応するフランクとねじ要素の軸線への垂線の間の代数的角度（A、B）であるならば、15°と差（45°−J）の間に設定されることを特徴とする請求項２のねじを付された管状の要素。
【請求項４】 マルチプル半径領域のプリンシパル円弧（23、24）の半径（rp1、rp2）は、対応しているフランクとねじ基部との間において接線交差点領域を単独で構成するフランク基準点を通って通過している標準円弧（29、30）の半径（rH1、rH2）の150％と250％の間に設定されることを特徴とする請求項１から３の中の１のねじを付された管状の要素。
【請求項５】 マルチプル半径領域の各々のセカンダリー曲線（25、26、27、55、56）は、円の円弧であることを特徴とする請求項１から４の中の１のねじを付された管状の要素。
【請求項６】 マルチプル半径領域のプリンシパル円弧の半径（rpl、rp2、rp3、rp4）に対する各々のセカンダリー曲線（25、26、27、55、56）の円弧の半径（rs1、rs2、rS3、rS4、rT1）の割合は、0.1から0.4までの範囲であることを特徴とする請求項５のねじを付された管状の要素。
【請求項７】 ロード・フランク（21、22）をもつねじ基部の接線交差点領域のみは、マルチプル半径領域であることを特徴とする請求項１から６の中の１のねじを付された管状の要素。
【請求項８】 ねじ基部の2つの接線交差点領域の各々は、マルチプル半径領域であることを特徴とする請求項１から６の中の１のねじを付された管状の要素。
【請求項９】 ロード・フランク側のマルチプル半径領域のプリンシパル円弧（23、24）の半径（rp1、rp2）は、スタビング・フランク側のマルチプル半径領域のプリンシパル円弧（53、54）の半径（rp3、rp4）より大きい、又は、同じであることを特徴とする請求項８のねじを付された管状の要素。
【請求項１０】 フランクの各々がねじ要素の軸線の垂線と作る角度（A、B）は、正またはゼロであることを特徴とする請求項１から９の中の１のねじを付された管状の要素。
【請求項１１】 静的及び動的応力への高い耐性を有するねじ管継手（100、300）であって、雄のねじ管要素の雄ねじ（3、303、303’）及び雌のねじ管要素の雌ねじ（4、304、304’）によって第二のパイプ（102、302）の端部において雌のねじ管要素(2)にねじ込むことによって連結される第1のパイプ（101、301）の端部の雄のねじ管要素(1)を有し、 雄及び雌のねじを付された各々のねじ（11、12）は、ねじ頂部（17、20、S1、S2）、ねじ基部（18、19、F1、F2）、直線からなるロード・フランク（13、14）、直線からなるスタビング・フランク（15、16）及び4つの交差点領域を有し、 夫々のねじは、円弧の円、２つの領域、即ち、接線ねじ基部交差点領域（21、22、51、52）を有し、 夫々ねじは、ねじ基部を、１つのフランク及び２つの領域、即ち、ねじ頂部交差点領域（31、32、41、４２）に連結し、 夫々ねじは、ねじ頂部をフランクに連結し、 各々のねじ頂部交差点領域の輪郭及び配置は、対のねじ要素の接線ねじ基部交差点領域に干渉しないように適合され、 2つのねじ管要素のうちの少なくとも1つは、請求項１から１０の中の１の耐疲労形状要素と呼ばれるねじ要素であることを特徴とするねじ管継手。
【請求項１２】 請求項１１のねじ管継手であって、 耐疲労形状を有する対のねじ管要素のマルチプル半径をもつ接線ねじ基部交差点領域の反対側のねじ管要素の少なくとも1つのねじ頂部交差点領域は、フォロワー領域（31、32）と呼ばれる領域であり、 そして、その領域は、互いに接線方向に接続する円の2つの円弧、即ち、プリンシパル円弧（33、34）及びセカンダリ円弧（35、36）、を有し、 この後者は、対応しているフランクの接線のねじ頂部交差点を作り出すこと、 及び、フォロワー領域のプリンシパル円弧のサポート円が対応しているフランクのサポート直線を切断するところの、対応するフランクの高い交差点ポイント（PRH1、PRH2）と呼ばれるポイントにおいて、 前記円への接線は、考慮中のフランクのサポート直線に対して、正しく負である鋭角（G、H）を作ることを特徴とするねじ管継手。
【請求項１３】 請求項１１又は１２のねじ管継手であって、 ねじ管継手の2つの雄及び雌の要素は、請求項1から10の中の何れかの1つおいて定義される型式のものであることを特徴とするねじ管継手。
【請求項１４】 請求項１１から１３の中の１のねじ管継手であって、 ねじ付けは、干渉ねじ付けである、即ち、1つのねじ付け(4)のねじ頂部(20)は、対のねじ付け(3)のねじ基部(19)と、半径方向に干渉していることを特徴とするねじ管継手。
【請求項１５】 請求項１１から１３の中の１のねじ管継手であって、 1つのねじ付け(3)の2つのねじフランク（13、15）は、ねじ付け（3、4）の少なくとも一部の長さにわたって対のねじ付け(4)の2つのねじフランク（14、16）と接点圧力の有無にかかわらず接触していることを特徴とするねじ管継手。